(57)【要約】【課題】放熱効率をより向上させた撮像装置を提供することを目的とする。【解決手段】前記課題を解決するために、本発明の撮像装置は、熱伝導性材料によって形成されたバッテリ収納ケース２０４ａ、２０４ｂと、前記バッテリ収納ケース２０４ａ、２０４ｂの前面側に一端を支持された第１放熱板２０２と、前記バッテリ収納ケース２０４ａ、２０４ｂの背面側に一端を支持された第２放熱板２０５と、を備え、前記第１放熱板２０２と前記第２放熱板２０５は、互いに対向する、ことを特徴とする。【選択図】図２
2011229046.tif 000002
【特許請求の範囲】
【請求項１】
熱伝導性材料によって形成された接続部材と、
前記接続部材の前面側に熱的に接続された第１放熱板と、
前記接続部材の背面側に熱的に接続された第２放熱板と、
を備え、
前記第１放熱板と前記第２放熱板は、
互いに対向する、
ことを特徴とする撮像装置。
【請求項２】
前記接続部材は、
バッテリ収納ケースの全部または一部である、
ことを特徴とする請求項１に記載の撮像装置。
【請求項３】
撮像素子、
をさらに備え、
前記撮像素子は、
前記第１放熱板と前記第２放熱板の間に配される、
ことを特徴とする請求項１に記載の撮像装置。
【請求項４】
シャッター、
をさらに備え、
前記シャッターは、
前記第１放熱板と前記第２放熱板の間に配される、
ことを特徴とする請求項１に記載の撮像装置。
【請求項５】
プリント基板、
をさらに備え、
前記第２放熱板は、
前記第１放熱板と対抗する面と反対の面において前記プリント基板に対向する、
ことを特徴とする請求項１に記載の撮像装置。
【請求項６】
前記第２放熱板は、
熱伝導性材料によって形成された弾性部材を介して前記プリント基板に実装された発熱源と熱的に接続される、
ことを特徴とする請求項５に記載の撮像装置。
【請求項７】
熱伝導性材料によって形成された接続部材と、
前記接続部材の前面側に熱的に接続された第１放熱板と、
前記接続部材の背面側に熱的に接続された第２放熱板と、
前記接続部材と前記第１放熱板と前記第２放熱板のいずれかまたは複数と熱的に接続された第３放熱板と、
撮像素子と、
プリント基板と、
を備え、
前記第１放熱板と前記第２放熱板は、
互いに対向し、
前記第２放熱板と前記第３放熱板は、
互いに対向し、
前記撮像素子は、
前記第１放熱板と前記第２放熱板の間に配され、
前記プリント基板は、
前記第２放熱板と前記第３放熱板の間に配される、
ことを特徴とする撮像装置。
【請求項８】
前記接続部材は、
バッテリ収納ケースの全部または一部である、
ことを特徴とする請求項７に記載の撮像装置。
【請求項９】
底面放熱板、
をさらに備え、
前記底面放熱板は、
前記接続部材と前記第１放熱板と前記第２放熱板のいずれかまたは複数と熱的に接続される、
ことを特徴とする請求項１に記載の撮像装置。
【請求項１０】
上面放熱板、
をさらに備え、
前記上面放熱板は、
前記接続部材と前記第１放熱板と前記第２放熱板のいずれかまたは複数と熱的に接続される、
ことを特徴とする請求項１に記載の撮像装置。
【請求項１１】
底面放熱板、
をさらに備え、
前記底面放熱板は、
前記接続部材と前記第１放熱板と前記第２放熱板と前記第３放熱板のいずれかまたは複数と熱的に接続される、
ことを特徴とする請求項７に記載の撮像装置。
【請求項１２】
上面放熱板、
をさらに備え、
前記上面放熱板は、
前記接続部材と前記第１放熱板と前記第２放熱板と前記第３放熱板のいずれかまたは複数と熱的に接続される、
ことを特徴とする請求項７に記載の撮像装置。
【発明の詳細な説明】
【技術分野】
【０００１】
本発明は、デジタルカメラ等の撮像装置に関するものであり、特には、放熱特性をより向上させた撮像装置に関するものである。
【背景技術】
【０００２】
近年、撮像素子の大型化・高画素化によって撮像素子の発熱が問題になっている。また、デジタルカメラ等のスチルカメラにおいても動画撮影機能が求められるようになり、撮像素子の発熱の問題に拍車をかける。高品位の動画を撮影するために、撮像素子の駆動周波数は、高まる傾向にある。
【０００３】
また、高画素の画像データや動画データを処理して記録するための制御ＬＳＩや信号処理ＬＳＩにおいても、高集積化が進み、駆動周波数も高まっている。したがって、これらのＬＳＩからの発熱も無視することができない。
【０００４】
このような状況にあっても、撮像装置の小型化・薄型化に対する要求は続く。したがって、撮像装置そのものを大きくすることなく、これらの発熱の問題を解決しなければならない。
【０００５】
撮像素子の放熱については、撮像素子の背面に放熱板を取り付けることが一般的である。特許文献１には、撮像素子の背面に放熱板を取り付けた電荷結合デバイス用放熱装置が記載されている。特許文献２には、撮像素子の背面に放熱板を取り付けたカメラの放熱装置が記載されている。また、特許文献３には、放熱板に延設された放熱路によって、放熱板と放熱部を接続した撮像素子の放熱構造が記載されている。
【先行技術文献】
【特許文献】
【０００６】
【特許文献１】実開昭６１−１２８８７５号公報
【特許文献２】実開昭６２−１２８９７号公報
【特許文献３】特開２００６−２１１０９１号公報
【発明の概要】
【発明が解決しようとする課題】
【０００７】
しかしながら、撮像素子の背面に取り付けた放熱板のみでは、撮像素子の発する熱を効率的に放熱することが困難な状況にある。加えて、撮像素子の他にも制御ＬＳＩや信号処理ＬＳＩ等の発熱源が存在する。一方で、撮像装置の小型化・薄型化に対する要求は厳しく、また、携帯する装置であるがゆえに、安易に筐体へ放熱することは好ましくない。
【０００８】
本発明は、前記課題を解決し、放熱効率をより向上させた撮像装置を提供することを目的とする。
【課題を解決するための手段】
【０００９】
前記課題を解決するために、本発明の撮像装置は、熱伝導性材料によって形成されたバッテリ収納ケースと、前記バッテリ収納ケースの前面側に一端を支持された第１放熱板と、前記バッテリ収納ケースの背面側に一端を支持された第２放熱板と、を備え、前記第１放熱板と前記第２放熱板は、互いに対向する、ことを特徴とする。
【発明の効果】
【００１０】
以上のように、本発明によれば、撮像装置の前面よりに配された第１放熱板と撮像装置の背面よりに配された第２放熱板を、熱伝導性材料によって形成されたバッテリ収納ケースによって、機械的かつ熱的に接続するので、放熱面積をより大きくすることができ、もって放熱効率をより向上させた撮像装置を提供することができるという効果を奏する。
【図面の簡単な説明】
【００１１】
【図１】本発明の実施の形態に係るデジタルカメラの外観図
【図２】本発明の実施の形態に係るデジタルカメラの分解斜視図
【図３】マウントユニットとバッテリユニットを組み立てた状態の斜視図
【発明を実施するための形態】
【００１２】
（実施の形態）
以下、本発明の実施の形態に係るデジタルカメラについて、図面を参照しながら詳細に説明する。
（１．外観）
図１は、本発明の実施の形態に係るデジタルカメラの外観図である。図１（ａ）は、前面図であり、図１（ｂ）は、背面図である。
【００１３】
本発明の実施の形態に係るデジタルカメラは、レンズ交換式のデジタルカメラであって、マウント１０１に様々な種類の交換レンズを取り付けて撮影を楽しむことができる。マウント１０１の内周の一部には、複数の電気接点１０２が円弧状に設けられている。交換レンズがマウント１０１に取り付けられると、電気接点１０２を介して、デジタルカメラと交換レンズの通信が可能になる。デジタルカメラは、交換レンズから交換レンズ固有の情報を取得するとともに、撮影条件に応じて、交換レンズの動作を制御する。レンズ取外しボタン１０３を押しながら、交換レンズを回転させると、交換レンズをマウント１０１から取り外すことができる。
【００１４】
本発明の実施の形態に係るデジタルカメラは、いわゆる一眼レフ方式のデジタルカメラではないので、交換レンズからの入射光を撮像素子または光学ビューファインダーのいずれに導くかを切り換える可動式ミラーを備えない。したがって、マウント１０１の内部には、撮像素子１０４を直視することができる。ただし、撮像素子１０４の前面には、付着した塵埃を除去するための超音波フィルターや入射光の高周波成分を除去するための光学ローパスフィルターが配されている。
【００１５】
デジタルカメラの上面には、撮影を指示するためのシャッターボタン１０５、撮影に関する各種設定を行うためのモードダイヤル１０６、１０７等の操作部材が配されている。また、デジタルカメラの上面には、ポップアップ式のストロボ１０８が内蔵されている。図１は、ストロボ１０８を格納した状態を示している。ストロボ１０８の上部には、より発光量の大きい外部ストロボ装置等を取り付けることができるホットシュー１０９が設けられている。デジタルカメラの左右には、ストラップを取り付けるための金具１１０が設けられている。
【００１６】
デジタルカメラの背面には、可動式モニター１１１が配されている。可動式モニター１１１には、液晶モニター等の平面ディスプレイが採用される。可動式モニター１１１には、撮像素子１０４に結像した入射光に基づく画像が表示される。図１（ｂ）に示す状態において、可動式モニター１１１の表示面は、デジタルカメラ側に閉じられている。可動式モニター１１１は、Ｘ軸を中心に図１（ｂ）手前側に開くことができる。また、可動式モニター１１１は、Ｙ軸を中心に回転することができる。したがって、撮影条件に応じて、可動式モニター１１１の位置を最も視認しやすい位置に調整することができる。
【００１７】
本発明の実施の形態に係るデジタルカメラは、可動式モニター１１１に加えて、電子ビューファインダー１１２をも備える。電子ビューファインダー１１２は、小型液晶モニターと接眼光学系によって構成され、可動式モニター１１１と同様に、撮像素子１０４に結像した入射光に基づく画像を表示する。電子ビューファインダー１１２は、覗き込むタイプのファインダーであるから、外光が明るすぎて可動式モニター１１１の視認が難しい状況であっても、電子ビューファインダー１１２によって明瞭な画像を視認することができる。電子ビューファインダー１１２の近傍には、アイセンサー１１３が配されている。アイセンサー１１３は、電子ビューファインダー１１２に対する接眼を検知する。アイセンサー１１３が電子ビューファインダー１１２に対する接眼を検知すると、撮像素子１０４に結像した入射光に基づく画像の表示を、可動式モニター１１１から電子ビューファインダー１１２に切り換える。
【００１８】
デジタルカメラの背面には、十字キーを含む各種操作ボタン１１４、操作ダイヤル１１５等の操作部材が配されている。これらの操作部材によって、撮影、再生等の詳細設定を行うことができる。デジタルカメラの背面から見て右側面には、メモリカードを挿入することができるスロットが設けられている。このスロットは、カバー１１６によって隠蔽されている。
（２．全体構成）
図２は、本発明の実施の形態に係るデジタルカメラの分解斜視図である。本発明の実施の形態に係るデジタルカメラは、前面側から、前面筐体２０１、第１放熱板２０２、マウントユニット２０３、バッテリユニット２０４、第２放熱板２０５、メイン基板２０６、背面筐体２０７の順に構成される。
【００１９】
マウントユニット２０３は、アルミ等、熱伝導率と剛性の高い材料によって作られたフレームを基礎とする。マウントユニット２０３は、前面側から、電気接点１０２を備えたマウント１０１と、シャッターと、超音波フィルターと光学ローパスフィルターを備えた撮像素子１０４と、から構成される。撮像素子１０４は、発熱源となる。また、本発明の実施の形態に係るデジタルカメラは、構図を決定するためのモニター表示中も動画撮影中もシャッターの開放を維持するので、シャッターの開放を維持するためにシャッター幕をソレノイドによって電磁的に固定する構成のシャッターを採用した場合、ソレノイドが発熱源になる場合がある。ソレノイドは、シャッターをチャージするためのステッピングモータ２０３ａ近傍に存在する。
【００２０】
バッテリユニット２０４は、バッテリ収納ケースと底面板２０４ｄによって構成されている。バッテリ収納ケースは、前面側に配されたバッテリ収納ケース１・２０４ａと背面側に配されたバッテリ収納ケース２・２０４ｂによって、バッテリ２０４ｃを包み込むように構成されている。バッテリ収納ケース１・２０４ａとバッテリ収納ケース２・２０４ｂは、熱伝導率の高い金属によって作られている。バッテリ収納ケース１・２０４ａは、その一部が折り曲げられてバッテリ収納ケース２・２０４ｂと機械的かつ熱的に接続されている。
【００２１】
なお、バッテリ収納ケースは、バッテリ収納ケース１・２０４ａとバッテリ収納ケース２・２０４ｂのみによって構成されている必要はない。バッテリ収納ケースは、一部に樹脂等を用いた部材を含んで構成されていてもよい。また、バッテリ収納ケースは、全体が樹脂等を用いた部材によって構成され、その周囲をバッテリ収納ケース１・２０４ａとバッテリ収納ケース２・２０４ｂによって取り囲むように構成されていてもよい。さらに、バッテリ収納ケース１・２０４ａとバッテリ収納ケース２・２０４ｂは、一体であってもよい。要するに、バッテリ収納ケース１・２０４ａとバッテリ収納ケース２・２０４ｂまたはこれらを一体化したバッテリ収納ケースによって、デジタルカメラの前面よりに配された第１放熱板２０２とデジタルカメラの背面よりに配された第２放熱板２０５を熱的に接続することができればよい。
【００２２】
底面板２０４ｄは、熱伝導率の高い金属によって作られている。底面板２０４ｄは、その一部が第１放熱板２０２の底面側に折り曲げられた延伸部２０２ｂと機械的かつ熱的に接続されている。底面板２０４ｄは、その一部が第３放熱板２０８の底面側に折り曲げられた延伸部２０８ａと機械的かつ熱的に接続されている。したがって、底面板２０４ｄによって、デジタルカメラの前面よりに配された第１放熱板２０２と背面筐体２０７の内側に配された第３放熱板２０８を熱的に接続することができる。底面板２０４ｄには、三脚等のネジを受けるネジ穴２０４ｅが取り付けられている。本実施の形態に係るデジタルカメラにおいては、底面板２０４ｄを放熱に利用する。したがって、筐体の外部に露出するネジ穴２０４ｅに熱が伝わることがないように、ネジ穴２０４ｅは、熱伝導率の低い部材によって形成することが望ましい。
【００２３】
なお、底面板２０４ｄは、その一部がバッテリ収納ケース１・２０４ａおよび／またはバッテリ収納ケース２・２０４ｂと機械的かつ熱的に接続されていてもよい。さらに、底面板２０４ｄは、その一部が第２放熱板２０５と機械的かつ熱的に接続されていてもよい。本実施の形態に係るデジタルカメラにおいては、底面板２０４ｄがバッテリユニット２０４に含まれることとしたが、第１放熱板２０２、第２放熱板２０５、第３放熱板２０８のいずれかまたは複数の一部を底面に折り曲げるようにして底面板を形成してもよい。また、底面板２０４ｄを放熱に利用しない構成も考えられる。底面板２０４ｄを放熱に利用しない場合は、ネジ穴２０４ｅを形成する部材の熱伝導率を考慮する必要がないから、ネジ穴２０４ｅをより剛性の高い部材によって形成することもできる。
【００２４】
メイン基板２０６は、制御ＬＳＩと信号処理ＬＳＩを一体化したＣＰＵ２０６ａを含む電気回路を実装したプリント基板である。動画撮影等によってＣＰＵ２０６ａの負荷が増大した状態が継続すると、ＣＰＵ２０６ａは、発熱源となる。メイン基板２０６には、ＣＰＵ２０６ａの他に、メモリカードを挿入することができるスロット２０６ｂ、外部のパーソナルコンピュータやプリンタやテレビ受像機等と本発明の実施の形態に係るデジタルカメラを接続するための端子群２０６ｃ等が実装されている。
【００２５】
バッテリユニット２０４と第１放熱板２０２と第２放熱板２０５は、マウントユニット２０３を包み込むように組み立てられる。マウントユニット２０３は、発熱源である撮像素子１０４、発熱源になる場合があるソレノイドを含んでいる。第１放熱板２０２は、バッテリ収納ケース１・２０４ａと機械的かつ熱的に接続される。第１放熱板２０２とバッテリ収納ケース１・２０４ａとの熱的な接続をより強固にするために、第１放熱板２０２には、バッテリ収納ケース１・２０４ａと密着する延伸部２０２ａが設けられている。第２放熱板２０５は、バッテリ収納ケース２・２０４ｂと機械的かつ熱的に接続される。第２放熱板２０５とバッテリ収納ケース２・２０４ｂとの熱的な接続をより強固にするために、第２放熱板２０５には、バッテリ収納ケース２・２０４ｂと密着する延伸部２０５ａが設けられている。
【００２６】
前面筐体２０１と第１放熱板２０２とマウントユニット２０３とバッテリ収納ケース１・２０４ａは、ビスによって共締めされる。また、第２放熱板２０５とバッテリ収納ケース２・２０４ｂは、ビスによって共締めされる。但し、第１放熱板２０２の延伸部２０２ａとバッテリ収納ケース１・２０４ａの接続、第２放熱板２０５とバッテリ収納ケース２・２０４ｂの接続は、熱伝導性接着剤によって行なってもよいし、熱伝導性接着テープによって行なってもよい。また、ビスによって共締めする場合であっても、密着部に熱伝導性グリスを塗布する等してもよい。
【００２７】
第１放熱板２０２は、それ単独では、マウントユニット２０３の基礎となるフレームを介して、撮像素子１０４やソレノイドの発生する熱を放熱することができるにすぎない。しかし、本実施の形態に係るデジタルカメラにおいては、第１放熱板２０２がバッテリ収納ケースを介して第２放熱板２０５と熱的に接続されているから、第２放熱板２０５が吸収した熱をバッテリ収納ケースと第１放熱板２０２から放熱することができる。また、第２放熱板は、撮像素子１０４の背面側のみならず、ソレノイドの背面側にまで至るように作られている。これによって、第２放熱板２０５は、撮像素子１０４の発生する熱のみならず、ソレノイドの発生する熱をも吸収することができる。すなわち、第１放熱板２０２と第２放熱板２０５とバッテリ収納ケースは、相互に連関しながら、第１放熱板２０２が従たる吸熱を、第２放熱板が主たる吸熱を、バッテリ収納ケースが主たる放熱を担うのであるが、第１放熱板２０２と第２放熱板２０５は、従たる放熱も担う。
【００２８】
このように、本発明の実施の形態に係るデジタルカメラの前面よりに配された第１放熱板２０２と背面よりに配された第２放熱板２０５を、バッテリ収納ケースを介して熱的に接続することによって、放熱面積をより大きくすることができる。バッテリ収納ケースは、重量物であるバッテリ２０４ｃを保持するために、金属によって構成することが好適である。したがって、金属によって構成されたバッテリ収納ケースを、第１放熱板２０２と第２放熱板２０５の熱的な接続に利用するとともに、バッテリ収納ケースそのものを放熱のために利用することができる。
【００２９】
ここで、底面板２０４ｄを加えると、放熱面積をさらに大きくすることができる。底面板２０４ｄには、三脚等のネジを受けるネジ穴２０４ｅが取り付けられている。底面板２０４ｄは、本発明の実施の形態に係るデジタルカメラを三脚等に強固に固定するために、金属によって作ることが好適である。したがって、金属によって作られた底面板２０４ｄを第１放熱板２０２の底面側に折り曲げられた延伸部２０２ｂに機械的かつ熱的に接続することによって、放熱面積をさらに大きくすることができる。また、底面板２０４ｄを第３放熱板２０８の底面側に折り曲げられた延伸部２０８ａに機械的かつ熱的に接続することによって、第３放熱板２０８が吸収した熱を底面板２０４ｄと第１放熱板２０２から放熱することができる。第３放熱板２０８は、メイン基板２０６の背面側にあって、ＣＰＵ２０６ａ等のメイン基板２０６に実装された発熱源が発生する熱を吸収する。
【００３０】
なお、本実施の形態に係るデジタルカメラにおいては採用していないが、マウントユニット２０３の上部に、バッテリ収納ケースと機械的かつ熱的に接続された新たな放熱板を設けることとしてもよい。そうすると、放熱面積をより一層大きくすることができる。また、筐体内の空気中に発散された熱は上昇するので、マウントユニット２０３の上部に設けられた新たな放熱板によって、第１放熱板２０２、第２放熱板２０５、底面板２０４ｄ、第３放熱板２０８に吸収されずに筐体内の空気中に発散された熱を効率的に吸収することができる。さらに、デジタルカメラの上面には多くの操作部材が配されるから、できるだけデジタルカメラの上面に熱が伝わらないようにするという効果がある。
【００３１】
このとき、新たな放熱板は、重量物である外部ストロボ装置等を取り付ける可能性のあるホットシュー１０９の補強を兼ねるものとすれば、より効率的である。なお、新たな放熱板は、第１放熱板２０２、第２放熱板２０５、第３放熱板２０８のいずれかまたは複数と機械的かつ熱的に接続されていてもよい。また、第１放熱板２０２、第２放熱板２０５、第３放熱板２０８のいずれかまたは複数の一部をマウントユニット２０３の上部に折り曲げるようにして新たな放熱板としてもよい。
【００３２】
第２放熱板２０５の背面側には、メイン基板２０６が配される。メイン基板２０６には、発熱源であるＣＰＵ２０６ａが実装されている。第２放熱板２０５とＣＰＵ２０６ａとの間には、熱伝導率が非常に高い材料であるりん青銅によって作られた板バネ２０６ｄと熱伝導シート２０６ｅが介在する。板バネ２０６ｄは、第２放熱板２０５に機械的かつ熱的に接続されている。板バネ２０６ｄの弾性力によって、熱伝導シート２０６ｅを介して板バネ２０６ｄそのものをＣＰＵ２０６ａに押圧接触させる。これによって、ＣＰＵ２０６ａの発生する熱を効率的に第２放熱板２０５に導くことができる。
【００３３】
また、バッテリユニット２０４と第１放熱板２０２と第２放熱板２０５は、剛性の高い材料によって作られたフレームを基礎とするマウントユニット２０３を包み込むように組み立てられる。そこで、第２放熱板２０５がＣＰＵ２０６ａと直接密着するように構成すると、デジタルカメラの落下等による衝撃によってＣＰＵ２０６ａが破壊される場合がある。また、ＣＰＵ２０６ａが破壊されなくとも、ＣＰＵ２０６ａをメイン基板２０６に接続する半田付け部にクラックが発生するおそれがある。本発明の実施の形態に係るデジタルカメラのように、第２放熱板２０５とＣＰＵ２０６ａとの間に板バネ２０６ｄを介在させることによって、このような問題を回避することができる。
（３．要部構成）
図３は、マウントユニットとバッテリユニットを組み立てた状態の斜視図である。図３（ａ）は、前面側から見た斜視図であり、図３（ｂ）は、背面側から見た斜視図である。バッテリ２０４ｃ、底面板２０４ｄその他、バッテリユニット２０４の要部以外の部分は省略している。
【００３４】
マウントユニット２０３とバッテリユニット２０４を組み立てた状態において、発熱源である撮像素子１０４、発熱源になる場合があるソレノイドを含むマウントユニット２０３は、第１放熱板２０２と第２放熱板２０５によってサンドイッチにされる。そして、第１放熱板２０２と第２放熱板２０５は、バッテリ収納ケース１・２０４ａとバッテリ収納ケース２・２０４ｂによって構成されるバッテリ収納ケースを介して熱的に接続されている。第１放熱板２０２と第２放熱板２０５とバッテリ収納ケースを上から見ると、略「コ」の字の形状をなし、その内部にマウントユニット２０３が取り込まれる。
【００３５】
第１放熱板２０２は、マウントユニット２０３の基礎となるフレーム２０３ｂを介して、撮像素子１０４やソレノイドの発生する熱を吸収する。第２放熱板２０５は、撮像素子１０４の発生する熱のみならず、ソレノイドの発生する熱をも吸収する。また、第２放熱板２０５は、板バネ２０６ｄと熱伝導シート２０６ｅを介して、ＣＰＵ２０６ａの発生する熱を吸収する。第１放熱板２０２と第２放熱板２０５は、それ自体、熱を吸収するとともに放熱もするが、第１放熱板２０２と第２放熱板２０５が吸収した熱は、バッテリ収納ケース１・２０４ａとバッテリ収納ケース２・２０４ｂによって構成されるバッテリ収納ケースからも放熱される。
【００３６】
このように、撮像装置の前面よりに配された第１放熱板と背面よりに配された第２放熱板を、金属によって構成することが好適であるバッテリ収納ケースを介して、熱的に接続することによって、放熱面積をより大きくすることができる。また、バッテリ収納ケースは、近時の撮像装置の薄型化に伴って、撮像装置の前面よりから背面よりまでを占めることが多いし、発熱源から比較的離れた位置に存在する場合が多いから、第１放熱板と第２放熱板を熱的に接続するとともに、第１放熱板と第２放熱板が吸収した熱を効率的に放熱させるために好都合である。さらに、第２放熱板の背面側に、発熱源となる制御ＬＳＩや信号処理ＬＳＩを実装したプリント基板を配することによって、これらのＬＳＩの発生する熱を第２放熱板に効率的に吸収させて、バッテリ収納ケースから放熱させることができる。さらに、マウントユニットの上部や下部に、バッテリ収納ケース、第１放熱板、第２放熱板のいずれかまたは複数と熱的に接続された新たな放熱板を設けてもよい。加えて、プリント基板の背面側に、バッテリ収納ケース、第２放熱板、マウントユニットの上部や下部に設けられた新たな放熱板のいずれかまたは複数と熱的に接続された第３放熱板を設けてもよい。
【００３７】
要するに、本発明は、撮像装置の幅方向に配された複数の放熱板を撮像装置の奥行方向に配された熱伝導性の部材によって熱的に接続することを基本的な技術思想とする。
【００３８】
撮像装置の幅方向に配された複数の放熱板は、発熱源を挟み込むように配されることが好ましく、本実施の形態に係るデジタルカメラにおいては、第１放熱板２０２と第２放熱板２０５によって発熱源である撮像素子１０４とソレノイドを含むマウントユニット２０３を挟み込む。但し、第２放熱板２０５は、その背面に存在するメイン基板２０６に実装された発熱源であるＣＰＵ２０６ａの発生する熱をも吸収することができる。このとき、デジタルカメラの落下等の衝撃によってＣＰＵ２０６ａが破壊しないよう第２放熱板２０５とＣＰＵ２０６ａとの間に熱伝導率の高い板バネ２０６ｄを介在させることを特徴とする。
【００３９】
また、第２放熱板２０２と第３放熱板２０８によって発熱源であるＣＰＵ２０６ａを実装したメイン基板２０６を挟み込む。さらに、底面板２０４ｄを放熱に利用することもできるし、底面板２０４ｄとマウントユニット２０３の上部に設けられた新たな放熱板によってマウントユニット２０３を挟み込むこともできる。マウントユニット２０３の上部に新たな放熱板を設けることによって、その他の放熱板によって吸収されず筐体内の空気中に発散された熱が上昇する性質を利用して、この熱を効率的に吸収することができる。
【００４０】
一方、撮像装置の奥行方向に配された熱伝導性の部材は、撮像装置の前面よりに配された放熱板と撮像装置の背面よりに配された放熱板を熱的に接続することができればよい。本発明の実施の形態に係るデジタルカメラにおいては、バッテリ収納ケースを利用したが、必ずしもバッテリ収納ケースである必要はない。撮像装置の奥行方向の剛性を確保するための部材等が存在すれば、それを利用することもできる。また、本発明の実施の形態に係るデジタルカメラにおいては、バッテリ収納ケースのみによって第１放熱板２０２と第２放熱板２０５を熱的に接続したが、複数の熱伝導性の部材によって複数の放熱板を熱的に接続する構造を採用することもできる。本発明の実施の形態に係るデジタルカメラに関して例示すると、デジタルカメラを前面から見たときの左側において、第１放熱板２０２と第２放熱板２０５を熱的に接続するためにバッテリ収納ケースを利用し、デジタルカメラを前面から見たときの右側において、第１放熱板２０２と第２放熱板２０５を熱的に接続するために端子群２０６ｃのカバーの開口部を補強する板金等を利用することもできる。
【００４１】
なお、本実施の形態のおいては、可動式ミラーを備えないレンズ交換式デジタルカメラに本発明を適用した場合を例示したが、本発明は、可動式ミラーを備えるいわゆる一眼レフ方式のデジタルカメラであっても適用することができるし、レンズ交換式でないデジタルカメラであっても適用することができる。
【産業上の利用可能性】
【００４２】
本発明によれば、放熱効率をより向上させた撮像装置を提供することができるので、デジタルカメラ等の撮像装置に適用することができる。
【符号の説明】
【００４３】
１０１    マウント
１０２    電気接点
１０３    レンズ取外しボタン
１０４    撮像素子
１０５    シャッターボタン
１０６    モードダイヤル
１０７    モードダイヤル
１０８    ストロボ
１０９    ホットシュー
１１０    金具
１１１    可動式モニター
１１２    電子ビューファインダー
１１３    アイセンサー
１１４    各種操作釦
１１５    操作ダイヤル
１１６    カバー
２０１    前側筐体
２０２    第１放熱板
２０２ａ    延伸部
２０２ｂ    延伸部
２０３    マウントユニット
２０３ａ    ステッピングモータ
２０３ｂ    フレーム
２０４    バッテリユニット
２０４ａ    バッテリ収納ケース１
２０４ｂ    バッテリ収納ケース２
２０４ｃ    バッテリ
２０４ｄ    底面板
２０４ｅ    ネジ穴
２０５    第２放熱板
２０５ａ    延伸部
２０６    メイン基板
２０６ａ    ＣＰＵ
２０６ｂ    スロット
２０６ｃ    端子群
２０６ｄ    板バネ
２０６ｅ    熱伝導シート
２０７    背面筐体
２０８    第３放熱板
２０８ａ    延伸部
【図１】
2011229046.tif 000003
【図２】
2011229046.tif 000004
【図３】
2011229046.tif 000005